(57)【要約】【課題】携帯電話の機種が異なる場合でも同じデザインで壁紙やアイコンなどを表示する。【解決手段】携帯電話の表示画面デザインシステム１では、壁紙やアイコンなどを表示画面に表示する携帯電話２と、携帯電話２の表示画面に表示する壁紙やアイコンの種類、携帯電話２の表示画面中におけるアイコンの配置位置、携帯電話２の機種などの各情報を互いに対応付けた状態で一組の表示情報として保存したサーバ４と、ネットワーク５を介してサーバ４に通信可能なコンピュータ３とが用いられる。そしてサーバ４に保存された前記表示情報中の壁紙の種類、アイコンの種類、アイコンの配置位置、携帯電話２の機種などの各情報のうち、携帯電話２の機種の情報が、ネットワーク５を介したコンピュータ３の操作で他の機種の情報に変更可能となっている。【選択図】図１
2005094334.tif 000002
【特許請求の範囲】
【請求項１】
無線通信端末の所有者情報と、当該無線通信端末にて表示されるメニュー画面とを対応付けて記憶する記憶手段と、
ネットワーク外部から所有者情報を受信する受信手段と、
この受信手段によって受信された所有者情報に対応するメニュー画面を前記記憶手段より読出し、この所有者情報に対応する無線通信端末に送信する送信手段と、
を備えたことを特徴とするネットワークサーバ。
【請求項２】
前記メニュー画面は、背景画像と前記無線通信端末が備える各機能を動作させるための指標とで構成され、
前記受信手段によって受信された所有者情報と前記記憶手段に記憶されている所有者情報とが一致するか否かを判別する判別手段と、
この判別手段により一致すると判別されたとき、前記記憶手段に記憶される背景画像と指標との少なくとも一方の変更を許可する第１の許可手段と、
この第１の許可手段により許可された後、変更されたメニュー画面を前記記憶手段に記憶させる第１の記憶制御手段と、
を更に備えたことを特徴とする請求項１に記載のネットワークサーバ。
【請求項３】
前記記憶手段は前記無線通信端末の機種情報をも対応付けて記憶し、
前記判別手段により一致すると判別されたとき、前記記憶手段に記憶される機種情報の変更を許可する第２の許可手段と、
この第２の許可手段により許可された後、変更された機種情報に対応して、前記メニュー画面を変換して前記記憶手段に記憶させる第２の記憶制御手段と、
を更に備えたことを特徴とする請求項２に記載のネットワークサーバ。
【請求項４】
前記無線通信端末は所定の発呼先を呼び出す発信手段を更に備え、
前記指標は、この発信手段による発信動作を指示するための情報を含むことを特徴とする請求項２または３に記載のネットワークサーバ。
【請求項５】
ネットワーク外部から接続されたコンピュータからの要求内容に応じて、データベースに記憶されているメニュー画面を送信するサーバが実行するプログラムであって、
前記データベースは無線通信端末の所有者情報と、当該無線通信端末にて表示されるメニュー画面とを対応付けて記憶し、
前記コンピュータより送信される所有者情報を受信する受信処理と、
この受信処理にて受信された所有者情報に対応するメニュー画面を前記データベースより読出し、この所有者情報に対応する無線通信端末に送信する送信処理と、
を実行させることを特徴とする、サーバが実行するプログラム。
【請求項６】
請求項５に記載の、サーバが実行するプログラムにおいて、
前記メニュー画面は、背景画像と前記無線通信端末が備える各機能を動作させるための指標とで構成され、
前記受信処理にて受信された所有者情報と前記データベースに記憶されている所有者情報とが一致するか否かを判別する判別処理と、
この判別処理により一致すると判別されたとき、前記データベースに記憶される背景画像と指標との少なくとも一方の変更を許可する第１の許可処理と、
この第１の許可処理により許可された後、変更されたメニュー画面を前記データベースに記憶させる第１の記憶制御処理と、
を更に含むことを特徴とする、サーバが実行するプログラム。
【請求項７】
請求項６に記載の、サーバが実行するプログラムにおいて、
前記データベースは前記無線通信端末の機種情報をも対応付けて記憶し、
前記判別処理により一致すると判別されたとき、前記データベースに記憶される機種情報の変更を許可する第２の許可処理と、
この第２の許可処理により許可された後、変更された機種情報に対応して、前記メニュー画面を変換して前記データベースに記憶させる第２の記憶制御処理と、
を更に含むことを特徴とする、サーバが実行するプログラム。
【発明の詳細な説明】
【技術分野】
【０００１】
本発明は、メニュー画面を記憶管理するネットワークサーバ、及び、サーバが実行するプログラムに関する。
【背景技術】
【０００２】
従来から、携帯電話には電話番号や現在時刻、送受信可能な電波の感度などを表示する表示装置が実装されている。また、近頃の携帯電話では、液晶ディスプレイなどの高価な表示装置が装備されており、文字や数字のほかにも壁紙やアイコンをカラーの画像として鮮明に表示することができるようになっており、さらには、インターネットを通じてサーバにアクセスし、サーバから様々な情報を取得したりすることもできるようになっている。例えば特許文献１には、インターネットなどを通じて携帯電話からサーバにアクセスし、サーバで管理されたデータを携帯電話にダウンロードすることで、その携帯電話の表示装置に動画を表示するという技術が開示されている。
【特許文献１】特開２００３−２３５０７号公報
【発明の開示】
【発明が解決しようとする課題】
【０００３】
しかしながら、従来の携帯電話では、同じ機種同士又は互換性を有する機種同士であれば同じ壁紙やアイコンを表示することはできるが、表示装置に表示される壁紙やアイコンなどに関する表示情報が携帯電話の各機種で独自なものとなっているため、異なる機種同士では同じデザインで壁紙やアイコンなどを表示することができない。したがって、ユーザが現在使用中の携帯電話に表示されたデザインを気に入っているとしても、ユーザが携帯電話の機種を変更すると、元の携帯電話で使用していたデザインの壁紙やアイコンなどを新規の携帯電話で表示することができなくなる。
【０００４】
本発明の目的は、異なる機種同士においても同じデザインで壁紙やアイコンなどを表示することができる携帯電話の表示画面デザインシステムを提供することである。
【課題を解決するための手段】
【０００５】
上記課題を解決するため、請求項１に記載の発明のネットワークサーバは、
無線通信端末の所有者情報と、当該無線通信端末にて表示されるメニュー画面とを対応付けて記憶する記憶手段と、
ネットワーク外部から所有者情報を受信する受信手段と、
この受信手段によって受信された所有者情報に対応するメニュー画面を前記記憶手段より読出し、この所有者情報に対応する無線通信端末に送信する送信手段と、
を備えたことを特徴としている。
【０００６】
請求項２に記載の発明は請求項１に記載のネットワークサーバにおいて、
前記メニュー画面は、背景画像と前記無線通信端末が備える各機能を動作させるための指標とで構成され、
前記受信手段によって受信された所有者情報と前記記憶手段に記憶されている所有者情報とが一致するか否かを判別する判別手段と、
この判別手段により一致すると判別されたとき、前記記憶手段に記憶される背景画像と指標との少なくとも一方の変更を許可する第１の許可手段と、
この第１の許可手段により許可された後、変更されたメニュー画面を前記記憶手段に記憶させる第１の記憶制御手段と、
を更に備えたことを特徴としている。
【０００７】
請求項３に記載の発明は請求項２に記載のネットワークサーバにおいて、
前記記憶手段は前記無線通信端末の機種情報をも対応付けて記憶し、
前記判別手段により一致すると判別されたとき、前記記憶手段に記憶される機種情報の変更を許可する第２の許可手段と、
この第２の許可手段により許可された後、変更された機種情報に対応して、前記メニュー画面を変換して前記記憶手段に記憶させる第２の記憶制御手段と、
を更に備えたことを特徴としている。
【０００８】
請求項４に記載の発明は請求項２または３に記載のネットワークサーバにおいて、
前記無線通信端末は所定の発呼先を呼び出す発信手段を更に備え、
前記指標は、この発信手段による発信動作を指示するための情報を含むことを特徴としている。
【０００９】
請求項５に記載の発明は、
ネットワーク外部から接続されたコンピュータからの要求内容に応じて、データベースに記憶されているメニュー画面を送信するサーバが実行するプログラムであって、
前記データベースは無線通信端末の所有者情報と、当該無線通信端末にて表示されるメニュー画面とを対応付けて記憶し、
前記コンピュータより送信される所有者情報を受信する受信処理と、
この受信処理にて受信された所有者情報に対応するメニュー画面を前記データベースより読出し、この所有者情報に対応する無線通信端末に送信する送信処理と、
を実行させることを特徴としている。
【００１０】
請求項６に記載の発明は、
請求項５に記載の、サーバが実行するプログラムにおいて、
前記メニュー画面は、背景画像と前記無線通信端末が備える各機能を動作させるための指標とで構成され、
前記受信処理にて受信された所有者情報と前記データベースに記憶されている所有者情報とが一致するか否かを判別する判別処理と、
この判別処理により一致すると判別されたとき、前記データベースに記憶される背景画像と指標との少なくとも一方の変更を許可する第１の許可処理と、
この第１の許可処理により許可された後、変更されたメニュー画面を前記データベースに記憶させる第１の記憶制御処理と、
を更に含むことを特徴としている。
【００１１】
請求項７に記載の発明は、
請求項６に記載の、サーバが実行するプログラムにおいて、
前記データベースは前記無線通信端末の機種情報をも対応付けて記憶し、
前記判別処理により一致すると判別されたとき、前記データベースに記憶される機種情報の変更を許可する第２の許可処理と、
この第２の許可処理により許可された後、変更された機種情報に対応して、前記メニュー画面を変換して前記データベースに記憶させる第２の記憶制御処理と、
を更に含むことを特徴としている。
【発明の効果】
【００１２】
請求項１、５に記載の発明によれば、壁紙やアイコンなどを外部のサーバで管理することができ、ユーザが機種変更した場合でも、変更前のメニュー画面を表示させることができるので、ユーザの使用勝手を向上させることができる。
【００１３】
請求項２、６に記載の発明によれば、前記メニュー画面における壁紙（背景画像）やアイコン（指標）等のデータも機種変更前の状態のまま継承されるので、ユーザの使用勝手を向上させることができる。
【００１４】
請求項３、７に記載の発明によれば、機種変更した場合、変更後の機種の表示能力が変更されていても、前記メニュー画面が継承されるので、ユーザの使用勝手を向上させることができる。
【発明を実施するための最良の形態】
【００１５】
以下、図面を参照しながら携帯電話の表示画面デザインシステムの実施形態について説明する。ただし、発明の範囲は図示例に限定されない。
始めに、図１〜図７を参照しながら、携帯電話の表示画面デザインシステムの構成について説明する。
図１は携帯電話の表示画面デザインシステム１の概略構成図である。
【００１６】
図１に示す通り、携帯電話の表示画面デザインシステム１では、携帯電話（無線通信端末）２、コンピュータ３及びサーバ（ネットワークサーバ）４が用いられ、これら携帯電話２、コンピュータ３及びサーバ４がネットワーク５を介して互いに通信可能な状態とされている。そして携帯電話の表示画面デザインシステム１では、ユーザによるコンピュータ３の操作によりサーバ４で管理されたデータを変更・更新し、携帯電話２の表示画面（待ち受け画面のデザイン）をユーザの好みに合わせて変更したり、携帯電話２の機種を変更した場合に、元の携帯電話２の表示画面を引き続き新規の携帯電話２の表示画面として継続して使用することができるようになっている。
【００１７】
携帯電話２はユーザにより管理されており、ユーザによる操作に基づきネットワーク５を介してサーバ４に管理されたデータをダウンロードしてそのデータに基づくデザインで壁紙（背景画像）や当該携帯電話２が備える各機能を動作させるためのアイコン（指標）などを表示することができるようになっている。ただし、携帯電話の表示画面デザインシステム１における「携帯電話２」というのは携帯型の電話機すべてを意味しており、携帯電話２にはＰＨＳ（Personal Handyphone System）も含まれる。
【００１８】
図２は携帯電話２の内部構成を示すブロック図であり、図３は携帯電話２の表示画面の一例を示す図面である。
具体的に携帯電話２は図２に示す通り、ＣＰＵ（Central Processing Unit）２０，入力部２１，表示部２２，無線通信部２３，ＲＯＭ（Read Only Memory）２４，ＲＡＭ（Random Access Memory）２５，画像メモリ２６などを有しており、これら各部がバスにより互いに接続された構成を備えている。
【００１９】
ＣＰＵ２０は、ＲＯＭ２４に記録されたシステムプログラムを読出・実行して携帯電話２の各部を制御するようになっている。またＣＰＵ２０は、入力部２１における入力操作にしたがいながらＲＯＭ２４に記録されたアプリケーションプログラムを読出・実行して携帯電話２の各種機能を実現するようになっている。
【００２０】
入力部２１は文字入力キー，数字入力キーその他各種機能に対応付けられたキーを備えており、ユーザによるキー操作で押下されたキーに対応する信号をＣＰＵ２０に出力するようになっている。
【００２１】
表示部２２は液晶ディスプレイなどから構成されており、ＣＰＵ２０から入力された表示データに基づいてディスプレイ上に画像を表示するようになっている。
【００２２】
無線通信部２３は、無線基地局（図示略）とのあいだで着信・発信などに係る無線信号の送受信をおこなうアンテナを備えており、ＣＰＵ２０から入力される指示にしたがいながら無線基地局とのあいだで携帯電話２用の通信プロトコルを実行して送受話音声の送受信やデータ通信などを実行するようになっている。
【００２３】
ＲＯＭ２４は書き換え可能な記録媒体であって、ＣＰＵ２０により実行される携帯電話２用のアプリケーションプログラムや通信処理プログラムなどを記憶している。ＲＯＭ２４には、携帯電話２に固有の「ユーザＩＤ（Identification）」（所有者情報）と「パスワード」とが記録されている。ただし、携帯電話の表示画面デザインシステム１では、ユーザＩＤとパスワードは携帯電話２ごとに異なっており、ユーザＩＤとパスワードとにより携帯電話２を特定することができるようになっている。
【００２４】
ＲＡＭ２５は書き換え可能な半導体素子で構成されており、ＣＰＵ２０により実行される各種プログラムやこれらプログラムにより処理されたデータなどを一時的に格納するワークエリアを形成するようになっている。
【００２５】
画像メモリ２６は半導体メモリなどから構成されており、表示部２２のディスプレイ上に表示可能な画像を画像データとして記憶するようになっている。
【００２６】
このような構成を備える携帯電話２では、各種の機能をそれぞれ実現する複数のモードが備えられているが、それら複数のモードのなかには、ユーザによる入力部２１の操作に応じて複数のモードのなかから特定のモードが選択されるのを待ち受ける「待ち受けモード」があり、携帯電話２が待ち受けモードのときには、図３に示すような「待ち受け画面」が表示部２２のディスプレイ上に表示されるようになっている。そして携帯電話の表示画面デザインシステム１では、図３に示す待ち受け画面中の壁紙やアイコンを変更したり、携帯電話２の機種を変更したときに先に使用した携帯電話２の待ち受け画面上の壁紙やアイコンを後に使用する携帯電話２の待ち受け画面としてそのまま使用したりすることができるようになっている。
【００２７】
コンピュータ３は携帯電話２のユーザにより管理されており、ユーザによるコンピュータ３の操作に基づきネットワーク５を介してサーバ４に管理されたデータを変更・更新することができるようになっている。
【００２８】
図４はコンピュータ３の内部構成を示すブロック図である。
具体的にコンピュータ３は図４に示す通り、ＣＰＵ（Central Processing Unit）３０，入力部３１，表示部３２，通信部３３，ＲＯＭ（Read Only Memory）３４，ＲＡＭ（Random Access Memory）３５などを有しており、これら各部が互いにバスにより接続された構成を備えている。
【００２９】
ＣＰＵ３０は、ＲＯＭ３４に記録されたシステムプログラムを読出・実行してコンピュータ３の各部を制御するようになっている。またＣＰＵ３０は、ユーザによる入力部３１の操作にしたがいながらＲＯＭ３４に記録されたアプリケーションプログラムを読出・実行してコンピュータ３の各種機能を実現するようになっている。
【００３０】
入力部３１は文字入力キー，テンキー，カーソルキー，各種機能キーなどを配列したキーボードを備えており、キーボードで押下されたキーに対応する信号をＣＰＵ３０に出力するようになっている。ただし、入力部３１には必要に応じてマウス、タッチパネルなどのポインティングデバイスその他の入力装置が備えられてもよい。
【００３１】
表示部３２はＣＲＴ（Cathode Ray Tube）ディスプレイや液晶ディスプレイなどから構成されており、ＣＰＵ３０から入力される表示データに基づいてディスプレイ上に画像を表示するようになっている。
【００３２】
通信部３３はＬＡＮ（Local Area Network），ＷＡＮ（Wide Area Network），インターネットなどのネットワーク５に接続された伝送媒体に接続可能なインターフェースである。通信部３３はモデム，ターミナルアダプタなどにより構成されており、電話回線，ＩＳＤＮ（Integrated Services Digital Network）回線，専用線，移動体通信回線，通信衛星回線，ＣＡＴＶ（Cable TV）回線などの通信回線を介して外部機器との通信をおこなうための制御をおこなうようになっている。
【００３３】
ＲＯＭ３４はＣＰＵ３０により実行されるシステムプログラム，アプリケーションプログラムなどを記憶している。
【００３４】
ＲＡＭ３５は、ＣＰＵ３０により実行される各種プログラムやこれらプログラムにより処理されたデータなどを一時的に格納するワークエリアを形成するようになっている。
【００３５】
サーバ４はコンピュータ３により変更・更新可能なデータを携帯電話２ごとに保存・管理し、ネットワーク５を介してそのデータを携帯電話２に提供することができるようになっている。
【００３６】
図５はサーバ４の内部構成を示すブロック図である。
具体的にサーバ４は図５に示す通り、ＣＰＵ（Central Processing Unit）４０，通信部４１，ＲＯＭ（Read Only Memory）４２，ＲＡＭ（Random Access Memory）４３，データベース４４などを有しており、これら各部が互いにバスにより接続された構成を備えている。
【００３７】
ＣＰＵ４０はＲＯＭ４２に記録されたシステムプログラムを読出・実行してサーバ４の各部を制御するようになっている。またＣＰＵ４０は、通信部４１で受信した信号に基づきながらＲＯＭ４２に記録されたアプリケーションプログラムを読出・実行してサーバ４の各種機能を実現するようになっている。
【００３８】
通信部４１はＬＡＮ，ＷＡＮ，インターネットなどのネットワーク５に接続された伝送媒体に接続可能なインターフェースである。通信部４１はモデム，ターミナルアダプタなどにより構成されており、電話回線，ＩＳＤＮ回線，専用線，移動体通信回線，通信衛星回線，ＣＡＴＶ回線などの通信回線を介して外部機器との通信をおこなうための制御をおこなうようになっている。
【００３９】
ＲＯＭ４２はＣＰＵ４０により実行されるシステムプログラム，アプリケーションプログラムなどを記憶している。
【００４０】
ＲＡＭ４３は、ＣＰＵ４０により実行される各種プログラムやこれらプログラムにより処理されたデータを一時的に格納するワークエリアを形成するようになっている。
【００４１】
データベース４４は書き換え可能な記録媒体であって、多数台分の携帯電話２の待ち受け画面（図３参照）の表示に関する情報をデータテーブルとして記憶している。具体的にデータベース４４のデータテーブルには、図６に示す通り、携帯電話２のＲＯＭ２４に記録されたものと同様のユーザＩＤ，パスワードが登録・記録されており、このユーザＩＤ，パスワードに対応付けられた状態で壁紙の種類，アイコンの種類，アイコンの配置位置，携帯電話２の機種などが携帯電話２ごとに登録・記録されている。なお、図６のデータテーブルには、アイコンのリンク情報（アイコンがどのモードにリンクするかの情報）が含まれていてもよい。
【００４２】
アイコンの配置位置に関して詳しく説明すると、携帯電話２の表示部２２のディスプレイ上には、図７の左図に示す通り、アイコンを配置可能な領域がアイコン１２個分だけ（縦４×横３）割り当てられており、その各領域には、図７の右図に示す通り、（ａ１，ｂ１），（ａ２，ｂ１），（ａ３，ｂ１），…といった位置情報がそれぞれ対応付けられている。例えば、図６中、登録Ｎｏ．００１に関する情報について言えば、カメラ，ビデオカメラを呈した各アイコンが（ａ１，ｂ１），（ａ２，ｂ１）に対応しているため、登録Ｎｏ．００１の携帯電話２の待ち受け画面には、図７の右図中の（ａ１，ｂ１）の位置にカメラのアイコンが配置・表示され、図７の右図中の（ａ２，ｂ１）の位置にビデオカメラのアイコンが配置・表示される情報となっている。
【００４３】
ネットワーク５は電話回線網，ＩＳＤＮ回線網，専用線，移動体通信網，通信衛星回線，ＣＡＴＶ回線網などの各種通信回線とそれらを接続するインターネットサービスプロバイダ基地局などから構成されている。ただし、ネットワーク５には、携帯電話２の無線通信部とのあいだで着信・発信などに係る無線信号の送受信をおこなう上記無線基地局も含まれ、ネットワーク５は携帯電話２の無線通信部２３とサーバ４の通信部４１とのあいだの通信を可能とするものである。
【００４４】
続いて、図８〜図１３を参照しながら、携帯電話の表示画面デザインシステム１において携帯電話２の待ち受け画面を変更する場合又は携帯電話２の機種の変更に伴い元の携帯電話２の待ち受け画面を新規の携帯電話２の待ち受け画面としてそのまま継続して使用する場合の処理について説明する。
図８は、携帯電話の表示画面デザインシステム１においてサーバ４のＣＰＵ４０が実行する複数の処理を経時的に示すフローチャートであり、図９〜図１３はサーバ４のＣＰＵ４０が実行する各処理でコンピュータ３の表示部３２のディスプレイ上に表示される各ページを示している。
【００４５】
ネットワーク５を介してコンピュータ３とサーバ４とが接続され互いに通信可能な状態において、サーバ４のＣＰＵ４０はコンピュータ３からのアクセスの有無を判定し（ステップＳ１）、コンピュータ３からのアクセスがないと判定したら（ステップＳ１：ＮＯ）、コンピュータ３からのアクセスがあるまでステップＳ１の処理を繰り返しおこなう。
【００４６】
コンピュータ３がサーバ４にアクセスしたら（ステップＳ１：ＹＥＳ）、サーバ４のＣＰＵ４０は、コンピュータ３に携帯電話２のユーザＩＤ，パスワードを要求し（ステップＳ２）、ユーザＩＤ，パスワードが入力可能なブランクの項目をコンピュータ３の表示部３２のディスプレイ上にそれぞれ表示させる。
【００４７】
ユーザによるコンピュータ３の入力部３１の操作でユーザＩＤ，パスワードが入力されたら、サーバ４のＣＰＵ４０は、そのユーザＩＤ，パスワードとデータベース４４に記録された多数のユーザＩＤ，パスワードとを照合し、ユーザにより入力されたユーザＩＤ，パスワードがデータベース４４のなかのユーザＩＤ，パスワードのいずれかに一致するか否かを判定する（ステップＳ３）。ユーザにより入力されたユーザＩＤ，パスワードが誤っていたら（ステップＳ３：ＮＯ）、つまり、データベース４４のなかにユーザが入力したユーザＩＤ，パスワードに適合するユーザＩＤ，パスワードが存在していなかったら、サーバ４のＣＰＵ４０は、ユーザが正しいユーザＩＤ，パスワードを入力するまでステップＳ２とステップＳ３との処理を繰り返しおこなう。
【００４８】
ユーザにより入力されたユーザＩＤ，パスワードがデータベース４４のなかのユーザＩＤ，パスワードのいずれかに一致したら（ステップＳ３：ＹＥＳ）、つまり、データベース４４のなかにユーザが入力したユーザＩＤ，パスワードに適合するユーザＩＤ，パスワードが存在していたら、サーバ４のＣＰＵ４０は、サーバ４とコンピュータ３とのあいだでセッションを確立する（ステップＳ４）。これにより、ユーザの意思によるコンピュータ３の入力部２１の操作で、サーバ４のデータベース４４の情報を変更・更新できる状態となる。
【００４９】
その後、サーバ４のＣＰＵ４０は、携帯電話２の待ち受け画面に関するメインメニューページ情報を通信部４１からコンピュータ３に送信する（ステップＳ５）。すると、メインメニューページ情報がコンピュータ３の通信部３３で受信され、コンピュータ３の表示部３２のディスプレイ上に図９に示すメインメニューページが表示される。
【００５０】
メインメニューページには、（１）「新規」…携帯電話２の待ち受け画面を新規に作成する項目と（２）「デザインセット１」，「デザインセット２」…既に登録された携帯電話２の待ち受け画面のデザインをそのまま継続して使用する項目とが掲載されており、ユーザによるコンピュータ３の入力部３１の操作でメインメニューページ中から上記（１）又は（２）の項目のいずれかを選択することができるようになる。
【００５１】
ユーザによるコンピュータ３の入力部３１の操作でメインメニューページ中の上記（１）又は（２）のいずれか一方の項目が選択され確定されたら、サーバ４のＣＰＵ４０は、ユーザにより入力された項目が上記（１）又は（２）のいずれであるかを判定する（ステップＳ６）。
【００５２】
ユーザが上記（１）の項目に確定したら（ステップＳ６：（１））、つまり、ユーザによる指示が携帯電話２の待ち受け画面を新規に作成するものであったら、サーバ４のＣＰＵ４０は、携帯電話２の機種に関する機種メニューページ情報を通信部４１からコンピュータ３に送信する（ステップＳ７）。すると、機種メニューページ情報がコンピュータ３の通信部３３で受信され、コンピュータ３の表示部３２のディスプレイ上に図１０に示す機種メニューページが表示される。
【００５３】
機種メニューページには複数台分の携帯電話２の機種が掲載されており、ユーザによるコンピュータ３の入力部３１の操作で機種メニューページ中の複数の機種のなかから特定の機種を選択できるようになる。
【００５４】
その後、サーバ４のＣＰＵ４０は、ユーザによるコンピュータ３の入力部３１の操作で携帯電話２の機種が確定したか否かを判定し（ステップＳ８）、携帯電話２の機種が確定していなかったら（ステップＳ８：ＮＯ）、携帯電話２の機種が確定するまでステップＳ８の処理を繰り返しおこなう。
【００５５】
ユーザによるコンピュータ３の入力部３１の操作で携帯電話２の機種が確定したら（ステップＳ８：ＹＥＳ）、サーバ４のＣＰＵ４０は、携帯電話２の待ち受け画面の壁紙に関する壁紙メニューページ情報を通信部４１からコンピュータ３に送信する（ステップＳ９）。すると、壁紙メニューページ情報がコンピュータ３の通信部３３で受信され、コンピュータ３の表示部３２のディスプレイ上に図１１に示す壁紙メニューページが表示される。
【００５６】
壁紙メニューページには複数種類の壁紙（模様、図柄など）が掲載されており、ユーザによるコンピュータ３の入力部３１の操作で壁紙メニューページ中の壁紙のなかから特定の壁紙を選択できるようになる。
【００５７】
その後、サーバ４のＣＰＵ４０は、ユーザによるコンピュータ３の入力部３１の操作で壁紙が確定したか否かを判定し（ステップＳ１０）、壁紙が確定しなかったら（ステップＳ１０：ＮＯ）、壁紙が確定するまでステップＳ１０の処理を繰り返しおこなう。
【００５８】
ユーザによるコンピュータ３の入力部３１の操作で壁紙が確定したら（ステップＳ１０：ＹＥＳ）、サーバ４のＣＰＵ４０は、携帯電話２の待ち受け画面のアイコンに関するアイコンメニューページ情報を通信部４１からコンピュータ３に送信する（ステップＳ１１）。すると、アイコンメニューページ情報がコンピュータ３の通信部３３で受信され、コンピュータ３の表示部３２のディスプレイ上に図１２に示すアイコンメニューページが表示される。
【００５９】
アイコンメニューページには複数種類のアイコンが掲載されており、ユーザによるコンピュータ３の入力部３１の操作で、アイコンメニューページ中のアイコンのなかから特定のアイコンを選択してその選択したアイコンを携帯電話２の待ち受け画面中の各領域（縦４×横３の計１２個の領域、図７参照）にそれぞれ割り当てることができるようになる。
【００６０】
その後、サーバ４のＣＰＵ４０は、ユーザによるコンピュータ３の入力部３１の操作でアイコンが確定したか否かを判定し（ステップＳ１２）、アイコンが確定していなかったら（ステップＳ１２：ＮＯ）、アイコンが確定するまでステップＳ１２の処理を繰り返しおこなう。
【００６１】
ユーザによるコンピュータ３の入力部３１の操作でアイコンが確定したら（ステップＳ１２：ＹＥＳ）、サーバ４のＣＰＵ４０は、これまでの処理で確定した携帯電話２の機種，壁紙，アイコンをサーバ４のデータベース４４に登録するための登録ページ情報を通信部４１からコンピュータ３に送信する（ステップＳ１３）。すると、登録ページ情報がコンピュータ３の通信部３３で受信され、コンピュータ３の表示部３２のディスプレイ上に図１３に示す登録ページが表示される。
【００６２】
登録ページには、（３）「登録」…これまでの処理で確定した携帯電話２の機種，壁紙，アイコンをそれぞれ互いに対応付けた状態で新規の「デザインセット３」として登録する項目と（４）「キャンセル」…これまでの処理で確定した携帯電話２の機種，壁紙，アイコンをすべて取り消す項目とが掲載されており、ユーザによるコンピュータ３の入力部３１の操作で、登録ページ中から上記（３）又は（４）の項目のいずれかを選択することができるようになる。
【００６３】
その後、サーバ４のＣＰＵ４０は、ユーザがコンピュータ３の入力部３１の操作で所定の時間以内に登録ページ中の上記（３）の項目に確定したか否かを判定する（ステップＳ１４）。
【００６４】
ユーザがコンピュータ３の入力部３１の操作で所定の時間以内に登録ページ中の上記（３）の項目に確定したら（ステップＳ１４：ＹＥＳ）、サーバ４のＣＰＵ４０は、ステップＳ８，ステップＳ１０，ステップＳ１２の各処理で確定した携帯電話２の機種，壁紙，アイコンを、ステップＳ３の処理で認知したユーザＩＤ，パスワードに対応付けた状態でデータベース４４に登録し、データベース４４中のデータテーブル（図６参照）を更新する（ステップＳ１５）。
【００６５】
ステップＳ１５の処理でサーバ４のデータベース４４が更新されたり、ステップＳ１４の処理で所定の時間以内に登録ページ中の上記（３）若しくは（４）のいずれの項目も確定されないか又はユーザがコンピュータ３の入力部３１の操作で登録ページ中の上記（４）の項目に確定したりしたら（ステップＳ１４：ＮＯ）、サーバ４のＣＰＵ４０は、ステップＳ４で確立したセッションを終了するか否か（コンピュータ３とサーバ４との通信を切断するか又は継続するか）をコンピュータ３に要求し、ユーザによるコンピュータ３の入力部３１の操作で所定の時間以内にセッションが終了されたか否かを判定する（ステップＳ１６）。
【００６６】
ユーザにより所定の時間以内にセッションが終了されたら（ステップＳ１６：ＹＥＳ）、サーバ４のＣＰＵ４０は、サーバ４とコンピュータ３とのあいだで確立したセッションを終了する処理をおこない（ステップＳ１７）、サーバ４の処理がすべて終了する。ユーザにより所定の時間以内にセッションが終了されないか又はセッションが継続されたら（ステップＳ１６：ＮＯ）、サーバ４のＣＰＵ４０は、上記ステップＳ５以降の処理（後述のステップＳ１８からステップＳ２２までの処理を含む。）を繰り返しおこなう。
【００６７】
一方、ステップＳ６の処理でユーザが上記（２）の項目を選択したら（ステップＳ６：（２））、つまり、ユーザによる指示が記録済みの携帯電話２の待ち受け画面をそのまま継続して使用するものであったら、サーバ４のＣＰＵ４０は、上記ステップＳ７，ステップＳ８の処理と同様の処理をそれぞれおこない（ステップＳ１８，ステップＳ１９）、ユーザによるコンピュータ３の入力部３１の操作で携帯電話２の機種が確定したら（ステップＳ１９：ＹＥＳ）、データベース４４中の既に登録された携帯電話２の機種をステップＳ１９の処理で確定した携帯電話２の機種に変換するための変換ページ情報を通信部４１からコンピュータ３に送信する（ステップＳ２０）。すると、変換ページ情報がコンピュータ３の通信部３３で受信され、コンピュータ３の表示部３２のディスプレイ上に図１４に示す変換ページが表示される。
【００６８】
変換ページには、（５）「変換」…データベース４４中の既に登録された携帯電話２の機種をステップＳ１９の処理で確定した携帯電話２の機種に変換する項目と（６）「キャンセル」…ステップＳ１９の処理で確定した携帯電話２の機種を取り消す項目とが掲載されており、ユーザによるコンピュータ３の入力部３１の操作で、変換ページ中から上記（５）又は（６）の項目のいずれかを選択することができるようになる。
【００６９】
その後、サーバ４のＣＰＵ４０は、ユーザがコンピュータ３の入力部３１の操作で所定の時間以内に変換ページ中の上記（５）の項目に確定したか否かを判定する（ステップＳ２１）。
【００７０】
ユーザがコンピュータ３の入力部３１の操作で所定の時間以内に変換ページ中の上記（５）の項目に確定したら（ステップＳ２１：ＹＥＳ）、サーバ４のＣＰＵ４０は、ステップＳ３の処理で認知したユーザＩＤ，パスワードに対応付けられたデータベース４４中の携帯電話の機種をステップＳ１９の処理で確定した携帯電話２の機種に変換し、データベース４４中のデータテーブル（図６参照）を更新する（ステップＳ２２）。例えば、図６中、登録Ｎｏ．００１に関する情報について言えば、現状での携帯電話２の機種が「Ｃ１２３４」であり、ステップＳ１９の処理で携帯電話２の機種が「Ｃ１２３５」に確定したと仮定すると、ステップＳ２２の処理により、データテーブル中の登録Ｎｏ．００１に該当する携帯電話２の機種が「Ｃ１２３４」から「Ｃ１２３５」に変換される。
【００７１】
ステップＳ２１の処理でサーバ４のデータベース４４が更新されたり、ステップＳ２１の処理で所定の時間以内に変換ページ中の上記（５）若しくは（６）のいずれの項目も確定されないか又はユーザがコンピュータ３の入力部３１の操作で変換ページ中の上記（６）の項目に確定したりしたら（ステップＳ２１：ＮＯ）、サーバ４のＣＰＵ４０は、上記ステップＳ１６，ステップＳ１７の処理をそれぞれおこない、サーバ４の処理がすべて終了する。
【００７２】
なお、上記のようなユーザによるコンピュータ３の操作とサーバ４の各処理とのあいだの通信形態は、ＣＧＩ（Common Gateway Interface）を利用した形態であって、サーバ４から逐次情報がコンピュータ３に送信され、送信された情報の内容に基づきユーザがコンピュータ３の入力部３１の操作でその内容に返答し、返答された内容の情報に基づきサーバ４が処理をおこなうようになっている。
【００７３】
そして上記のようなユーザによるコンピュータ３の操作とサーバ４の各処理とが終了した時点で、ユーザによる携帯電話２の入力部３１の操作により携帯電話２からネットワーク５を介してサーバ４にアクセスすると、携帯電話２は、その携帯電話２に固有のユーザＩＤ，パスワードからサーバ４のデータベース４４中のデータを読み出すことができ、読み出したデータを無線通信部２３からダウンロードすることができる。これにより、ユーザは、図８に示した処理で新規に作成した待ち受け画面を携帯電話２の待ち受け画面として使用することができ、携帯電話２の機種を変更した場合でも、図８に示した処理で携帯電話２の機種を変換すれば、元の携帯電話２の待ち受け画面を引き続き新規の携帯電話２の待ち受け画面として継続して使用することができる。
【００７４】
以上の携帯電話の表示画面デザインシステム１では、ステップＳ６の処理で上記（１）又は（２）のいずれの項目がユーザにより選択・確定されても、図６に示すデータテーブル中の携帯電話２の機種の情報が他の機種の情報に変更可能であるから、ユーザがコンピュータ３の操作によりサーバ４に保存された図６のデータテーブル中の携帯電話２の機種の情報を他の機種の情報に変更することができ、これにより、図６のデータテーブルの情報は、変更前の機種と対応した壁紙やアイコンなどが同じデザインのまま変更後の機種と対応する情報に更新される。そしてユーザが更新後の図６のデータテーブルの情報をサーバ４から携帯電話２にダウンロードすることで、機種の変更前のデザインのまま壁紙やアイコンなどを機種の変更後の携帯電話２に表示することができる。したがって、異なる機種同士でも同じデザインで携帯電話２の表示部２２のディスプレイ上に壁紙やアイコンなどを表示することができる。
【００７５】
さらに携帯電話の表示画面デザインシステム１では、ステップＳ９からステップＳ１２までの処理で図６のデータテーブル中の壁紙の種類、アイコンの種類、アイコンの配置位置の情報の少なくとも一の情報を他の情報に変更可能であるから、ユーザがコンピュータ３の操作によりサーバ４に保存された図６のデータテーブルの情報を変更してその情報をサーバ４から携帯電話２にダウンロードすることで、携帯電話２の機種の変更の有無にかかわらず、携帯電話２の表示部２２のディスプレイ上に表示する壁紙やアイコンをユーザの好みに応じて変更することができる。
【図面の簡単な説明】
【００７６】
【図１】携帯電話の表示画面デザインシステムの概略構成図である。
【図２】携帯電話の内部構成を示すブロック図である。
【図３】携帯電話の待ち受け画面を示す図面である。
【図４】コンピュータの内部構成を示すブロック図である。
【図５】サーバの内部構成を示すブロック図である。
【図６】サーバのデータベースに記録されたデータテーブルを示す図面である。
【図７】アイコンの配置位置を説明するための図面である。
【図８】サーバのＣＰＵが実行する複数の処理を経時的に示すフローチャートである。
【図９】サーバのＣＰＵが実行する処理でコンピュータの表示部のディスプレイ上に表示された「メインメニューページ」を示す図面である。
【図１０】サーバのＣＰＵが実行する処理でコンピュータの表示部のディスプレイ上に表示された「機種メニューページ」を示す図面である。
【図１１】サーバのＣＰＵが実行する処理でコンピュータの表示部のディスプレイ上に表示された「壁紙メニューページ」を示す図面である。
【図１２】サーバのＣＰＵが実行する処理でコンピュータの表示部のディスプレイ上に表示された「アイコンメニューページ」を示す図面である。
【図１３】サーバのＣＰＵが実行する処理でコンピュータの表示部のディスプレイ上に表示された「登録ページ」を示す図面である。
【図１４】サーバのＣＰＵが実行する処理でコンピュータの表示部のディスプレイ上に表示された「変換ページ」を示す図面である。
【符号の説明】
【００７７】
１  携帯電話の表示画面デザインシステム
２  携帯電話（無線通信端末）
３  コンピュータ
４  サーバ（ネットワークサーバ）
５  ネットワーク
２３  無線通信部（発信手段）
４０  ＣＰＵ（送信手段、判別手段、第１の許可手段、第１の記憶制御手段、第２の許可手段、第２の記憶制御手段）
４１  通信部（受信手段）
４４  データベース（記憶手段）
【図１】
2005094334.tif 000003
【図２】
2005094334.tif 000004
【図３】
2005094334.tif 000005
【図４】
2005094334.tif 000006
【図５】
2005094334.tif 000007
【図６】
2005094334.tif 000008
【図７】
2005094334.tif 000009
【図８】
2005094334.tif 000010
【図９】
2005094334.tif 000011
【図１０】
2005094334.tif 000012
【図１１】
2005094334.tif 000013
【図１２】
2005094334.tif 000014
【図１３】
2005094334.tif 000015
【図１４】
2005094334.tif 000016